(57)【要約】【課題】けられ無しで球面収差、コマ収差、非点収差、像面湾曲を全て除去できる望遠鏡を得る。【解決手段】天体からの光を反射する楕円面主鏡Ｍ１と、前記光を再度反射する双曲面副鏡Ｍ２と、再度反射された前記光をナスミス焦点に導く平面斜鏡Ｍ３と、前記ナスミス焦点に配置され、形状が半円であり、前記平面斜鏡Ｍ３によって導かれた光を全視野の半分だけ垂直な方向に折り曲げる平面半月斜鏡Ｍ４Ｌと、前記平面半月斜鏡Ｍ４Ｌによって折り曲げられた光を反射する第３非球面鏡Ｍ５Ｌ、前記第３非球面鏡Ｍ５Ｌによって反射された光を最終焦点面ＦＰ２Ｌへ導く形状が半円の平面半月斜鏡Ｍ６Ｌとを設けた。【選択図】図１
2006276234.tif 000002
【特許請求の範囲】
【請求項１】
天体からの光を反射する主鏡と、
前記光を再度反射する副鏡と、
再度反射された前記光をナスミス焦点に導く斜鏡と、
前記ナスミス焦点に配置され、形状が半円であり、前記斜鏡によって導かれた光を全視野の半分だけ垂直な方向に折り曲げる第１の半月鏡と、
前記第１の半月鏡によって折り曲げられた光を反射する第１の非球面鏡と、
前記第１の非球面鏡によって反射された光を第１の最終焦点面へ導く形状が半円の第２の半月鏡と
を備えたことを特徴とする望遠鏡。
【請求項２】
前記主鏡、前記副鏡、及び前記斜鏡は、望遠鏡の軸であるＺ軸に沿って配置され、
前記斜鏡と前記第１の半月鏡を結ぶ高度回転軸であるＸ軸の周りに望遠鏡が回転して傾き、
前記第１の半月鏡と前記第１の非球面鏡を結ぶＹ軸は、水平面上で前記Ｘ軸と直交している
ことを特徴とする請求項１記載の望遠鏡。
【請求項３】
前記主鏡は、楕円面主鏡であり、
前記副鏡は、双曲面副鏡であり、
前記斜鏡は、平面斜鏡であり、
前記第１の半月鏡は、平面半月斜鏡であり、
前記第１の非球面鏡は、楕円非球面鏡であり、
前記第２の半月鏡は、平面半月斜鏡である
ことを特徴とする請求項１又は２記載の望遠鏡。
【請求項４】
前記ナスミス焦点に配置され、形状が半円であり、前記斜鏡によって導かれた光を全視野の残り半分だけ、前記第１の半月鏡とは反対の垂直な方向に折り曲げる第３の半月鏡と、
前記第３の半月鏡によって折り曲げられた光を反射する第２の非球面鏡と、
前記第２の非球面鏡によって反射された光を第２の最終焦点面へ導く形状が半円の第４の半月鏡と
をさらに備えたことを特徴とする請求項１記載の望遠鏡。
【請求項５】
前記主鏡、前記副鏡、及び前記斜鏡は、望遠鏡の軸であるＺ軸に沿って配置され、
前記斜鏡と前記第１及び第３の半月鏡を結ぶ高度回転軸であるＸ軸の周りに望遠鏡が回転して傾き、
前記第１の半月鏡と前記第１の非球面鏡を結び、かつ前記第３の半月鏡と前記第２の非球面鏡を結ぶＹ軸は、水平面上で前記Ｘ軸と直交している
ことを特徴とする請求項４記載の望遠鏡。
【請求項６】
前記主鏡は、楕円面主鏡であり、
前記副鏡は、双曲面副鏡であり、
前記斜鏡は、平面斜鏡であり、
前記第１の半月鏡は、平面半月斜鏡であり、
前記第１の非球面鏡は、楕円非球面鏡であり、
前記第２の半月鏡は、平面半月斜鏡である
前記第３の半月鏡は、平面半月斜鏡であり、
前記第２の非球面鏡は、楕円非球面鏡であり、
前記第４の半月鏡は、平面半月斜鏡である
ことを特徴とする請求項４又は５記載の望遠鏡。
【発明の詳細な説明】
【技術分野】
【０００１】
この発明は、天体望遠鏡などの望遠鏡に関するものである。
【背景技術】
【０００２】
従来の望遠鏡においては、主鏡と副鏡に非球面を用いて球面収差とコマ収差を除去する二面系が主流であった。非球面をもう一枚追加した三面系は原理的にはさらに良い結像性能を達成できる可能性があるが、鏡の影が生じて光を損失する設計が多く、実用になる光学系が一例を除くと無かった（例えば、非特許文献１参照）。
【０００３】
【非特許文献１】Dietrich Korsch, 「Anastigmatic three-mirror telescope」, APPLIED OPTICS, Vol. 16, No. 8, August 1977, pp. 2074-2077
【発明の開示】
【発明が解決しようとする課題】
【０００４】
従来の二面系望遠鏡では、非点収差や像面湾曲が除去できないという課題があった。
【０００５】
また、従来の三面系望遠鏡では、非点収差や像面湾曲をも除去できる設計がいくつか提案されているが、いずれも中央部に光が届かない影の部分（けられ）があり、全視野を有効に利用できないという課題があった。
【０００６】
この発明は、上述のような課題を解決するためになされたもので、その目的は、けられ無しで球面収差、コマ収差、非点収差、像面湾曲を全て除去できる望遠鏡を得るものである。
【課題を解決するための手段】
【０００７】
この発明に係る望遠鏡は、天体からの光を反射する主鏡と、前記光を再度反射する副鏡と、再度反射された前記光をナスミス焦点に導く斜鏡と、前記ナスミス焦点に配置され、形状が半円であり、前記斜鏡によって導かれた光を全視野の半分だけ垂直な方向に折り曲げる第１の半月鏡と、前記第１の半月鏡によって折り曲げられた光を反射する第１の非球面鏡と、前記第１の非球面鏡によって反射された光を第１の最終焦点面へ導く形状が半円の第２の半月鏡とを設けたものである。
【発明の効果】
【０００８】
この発明に係る望遠鏡は、けられ無しで球面収差、コマ収差、非点収差、像面湾曲を全て除去できるという効果を奏する。
【発明を実施するための最良の形態】
【０００９】
実施の形態１．
この発明の実施の形態１に係る望遠鏡について図１から図３までを参照しながら説明する。図１は、この発明の実施の形態１に係る望遠鏡の全体構成を示す図である。また、図２は、この発明の実施の形態１に係る望遠鏡を側面からみた部分構成を示す図である。さらに、図３は、この発明の実施の形態１に係る望遠鏡を上方からみた部分構成を示す図である。なお、各図は概念を示すもので各鏡の配置は必ずしも正確ではない。また、各図中、同一符号は同一又は相当部分を示す。
【００１０】
図１〜図３において、この実施の形態１に係る望遠鏡は、例えば直径３０ｍの楕円面主鏡Ｍ１と、望遠鏡先端に配置された双曲面副鏡Ｍ２と、主鏡Ｍ１の手前に配置された平面斜鏡Ｍ３と、ナスミス焦点面ＦＰ１に配置された平面半月斜鏡Ｍ４Ｌ（第１の半月鏡）と、ナスミス焦点像を再結像する楕円第３非球面鏡Ｍ５Ｌ（第１の非球面鏡）と、視野の半分を最終焦点面ＦＰ２Ｌへ折り曲げる平面半月斜鏡Ｍ６Ｌ（第２の半月鏡）と、最終焦点面ＦＰ２Ｌに配置された検出器ＤＬとが設けられている。
【００１１】
さらに、ナスミス焦点面ＦＰ１に配置された平面半月斜鏡Ｍ４Ｒ（第３の半月鏡）と、ナスミス焦点像を再結像する楕円第３非球面鏡Ｍ５Ｒ（第２の非球面鏡）と、視野の残りの半分を最終焦点面ＦＰ２Ｒへ折り曲げる平面半月斜鏡Ｍ６Ｒ（第４の半月鏡）と、最終焦点面ＦＰ２Ｒに配置された検出器ＤＲとが設けられている。なお、検出器ＤＬ、ＤＲには、ＣＣＤカメラが適用される。
【００１２】
図１に示す立体的な構成図では、視野の右半分を扱う平面半月斜鏡Ｍ４Ｒと、楕円第３非球面鏡Ｍ５Ｒと、平面半月斜鏡Ｍ６Ｒと、最終焦点面ＦＰ２Ｒを省略している。また、図２に示す側面図では、光線を折り曲げるための平面半月斜鏡Ｍ４以降を省いている。さらに、図３に示す平面図では、図２とは逆に、楕円面主鏡Ｍ１と、双曲面副鏡Ｍ２と、平面斜鏡Ｍ３を省いている。
【００１３】
平面半月斜鏡Ｍ４Ｌ、Ｍ４Ｒと、平面半月斜鏡Ｍ６Ｌ、Ｍ６Ｒの外形は、文字（半月）通り、円を半分に割った形である半円である。残りの楕円面主鏡Ｍ１、双曲面副鏡Ｍ２、平面斜鏡Ｍ３、及び楕円第３非球面鏡Ｍ５Ｌ、Ｍ５Ｒの外形は、全部円形である。なお、図３に示す楕円第３非球面鏡Ｍ５Ｌ、Ｍ５Ｒは、それぞれ、Ｘ軸とＹ軸の交点が中心となる球面の一部である。
【００１４】
楕円面主鏡Ｍ１、双曲面副鏡Ｍ２、平面斜鏡Ｍ３、平面半月斜鏡Ｍ４Ｌ、Ｍ４Ｒ、楕円第３非球面鏡Ｍ５Ｌ、Ｍ５Ｒ、及び平面半月斜鏡Ｍ６Ｌ、Ｍ６Ｒの直径は、それぞれ例えば３０ｍ、４．２ｍ、２．９ｍ、２．５ｍ、４ｍ、１．２ｍである。なお、平面半月斜鏡Ｍ４Ｌ、Ｍ４Ｒ、楕円第３非球面鏡Ｍ５Ｌ、Ｍ５Ｒ、及び平面半月斜鏡Ｍ６Ｌ、Ｍ６Ｒは、それぞれ左右（ＬとＲ）同じ大きさ及び形状である。
【００１５】
図１及び図２に示すように、楕円面主鏡Ｍ１と、双曲面副鏡Ｍ２と、平面斜鏡Ｍ３は、望遠鏡の軸（鉛直方向）（Ｚ軸と呼ぶ。）に沿って並んでいる。また、図１及び図３に示すように、平面斜鏡Ｍ３と平面半月斜鏡Ｍ４Ｌ、Ｍ４Ｒを結ぶ高度回転軸（Ｘ軸と呼ぶ。）の周りに望遠鏡が回転して傾く。さらに、図１及び図３に示すように、平面半月斜鏡Ｍ４Ｌ、Ｍ４Ｒと楕円第３非球面鏡Ｍ５Ｌ、Ｍ５Ｒを結ぶ軸（Ｙ軸と呼ぶ。）は、水平面上でＸ軸と直交している。
【００１６】
２枚の平面半月斜鏡Ｍ４ＬとＭ４Ｒは、図３に示すように、それぞれの直径部分がＺ軸方向（鉛直方向）に配置される。平面半月斜鏡Ｍ４ＬとＭ４Ｒの円周部分は、それぞれ、平面斜鏡Ｍ３からの光をＸ軸からＹ軸に９０度折り曲げるために、ＸＹ平面内でＸ軸から−４５度と＋４５度の位置に置く。これら平面半月斜鏡Ｍ４ＬとＭ４Ｒの配置は、丁度、円形の半分を鉛直方向（Ｚ軸）に沿って９０度折り曲げた形である。このような配置により、平面斜鏡Ｍ３からの全視野の光を左半分と右半分に分けることができる。２枚の平面半月斜鏡Ｍ４を水平面内に展開する場合は、上述したように、全視野を左半分と右半分に分けることになるが、垂直面内に展開する場合は、全視野を上半分と下半分に分けることになる。
【００１７】
また、２枚の平面半月斜鏡Ｍ６ＬとＭ６Ｒは、図３に示すように、それぞれの直径部分が、Ｚ軸方向（鉛直方向）に沿い、Ｙ軸に関して平面半月斜鏡Ｍ４ＬとＭ４Ｒに反対側に配置される。なお、平面半月斜鏡Ｍ４Ｌ、Ｍ４Ｒ、楕円第３非球面鏡Ｍ５Ｌ、Ｍ５Ｒ、及び平面半月斜鏡Ｍ６Ｌ、Ｍ６Ｒは、同一のＸＹ平面に配置される。
【００１８】
つぎに、この実施の形態１に係る望遠鏡の動作について図面を参照しながら説明する。
【００１９】
真上（天頂）にある無限遠の天体からの光は、図２に示すように、鉛直に降りてきて主鏡Ｍ１で反射し、副鏡Ｍ２で再度反射されて、斜鏡Ｍ３で、Ｘ軸に沿って、半月斜鏡Ｍ４Ｌ、Ｍ４Ｒの位置に導かれる。半月斜鏡Ｍ４Ｌ、Ｍ４Ｒの位置は、ナスミス焦点と呼ばれ、通常はここが最終焦点面となるが、主鏡Ｍ１と副鏡Ｍ２の２枚の非球面がつくるナスミス焦点では光学収差が残る。
【００２０】
本発明では、ナスミス焦点面ＦＰ１に半月斜鏡Ｍ４Ｌ、Ｍ４Ｒを置き、光路をそれぞれ水平面内でＸ軸と垂直なＹ軸方向に折り曲げ、その先に配置した３つめの非球面となる非球面鏡Ｍ５Ｌ、Ｍ５Ｒで、ナスミス焦点像をそれぞれ再結像する。半月斜鏡Ｍ４Ｌ、Ｍ４Ｒから非球面鏡Ｍ５Ｌ、Ｍ５Ｒをそれぞれ通って半月斜鏡Ｍ６Ｌ、Ｍ６Ｒでそれぞれ折り曲げるとき、半月斜鏡Ｍ４Ｌ、Ｍ４Ｒから非球面鏡Ｍ５Ｌ、Ｍ５Ｒへ行く光線が、非球面鏡Ｍ５Ｌ、Ｍ５Ｒから半月斜鏡Ｍ６Ｌ、Ｍ６Ｒへ戻る光線と重なると遮蔽ができてしまうため、半月斜鏡Ｍ６Ｌ、Ｍ６Ｒではそれぞれ視野の半分だけを使用する。
【００２１】
こうすることで、半月斜鏡Ｍ４Ｌ⇒非球面鏡Ｍ５Ｌ⇒半月斜鏡Ｍ６Ｌ⇒最終焦点面ＦＰ２Ｌへと光線がじゃまされずに到達できる。上記と同じような構成（半月斜鏡Ｍ４Ｒ⇒非球面鏡Ｍ５Ｒ⇒半月斜鏡Ｍ６Ｒ⇒最終焦点面ＦＰ２Ｒ）をＹ軸の逆側にも配置しているので、ナスミス焦点の全視野を両側で半分ずつ確保することができる。
【００２２】
直径３０ｍの主鏡Ｍ１で折り返した光を、望遠鏡先端の副鏡Ｍ２で折り戻し、主鏡Ｍ１の手前の斜鏡Ｍ３で望遠鏡筒の外側のナスミス焦点に導くところまでは従来の望遠鏡と同様の配置である。ナスミス焦点面ＦＰ１に配置した半月斜鏡Ｍ４で光路をさらに垂直方向（Ｙ軸方向）に折り曲げ、非球面鏡Ｍ５を用いて最終焦点面ＦＰ２に光を戻すが、最終焦点の手前で半月斜鏡Ｍ６により光を再度折り曲げることにより、死角が無く、光学収差が無い完全な光学系が実現できる。
【００２３】
通常の二面反射系では主鏡Ｍ１と副鏡Ｍ２に最適化された非球面を用いることにより、主鏡Ｍ１の下部にカセグレン焦点を設けるか、斜鏡Ｍ３で光路をＸ軸に沿って水平に折り曲げ、ナスミス焦点を半月斜鏡Ｍ４の位置に設ける。このナスミス焦点は、望遠鏡が天体を追尾して姿勢が変化する場合でもその姿勢が不変なため、観測装置を配置するのに適している。
【００２４】
本発明は、このナスミス焦点に半月斜鏡Ｍ４を置き、視野の半分ずつをＸ軸と直角をなす水平方向に取り出し、非球面鏡Ｍ５でナスミス焦点像を等倍率で再結像することにある。このような配置にすると、折り返された光路は鏡像の関係で反転するので、右半分の像が左半分の視野に戻ってくる。従って、全視野を右半分と左半分の２つの視野に分けて、それぞれに半月斜鏡Ｍ４から半月斜鏡Ｍ６までの鏡を配置することにより全視野を死角なくカバーすることができる。
【００２５】
この発明に係る望遠鏡は、全視野を２つの半円形視野に分割し、それぞれに３番目の非球面を配置することで、全面けられ無しの光学系の配置を可能にしたものである。
【００２６】
なお、この発明に係る望遠鏡は、地球探査衛星など広視野と高解像度を必要とし、視野にかげり（けられ）の無い光学系を必要とする望遠鏡やカメラにも応用することができる。
【図面の簡単な説明】
【００２７】
【図１】この発明の実施の形態１に係る望遠鏡の全体構成を示す図である。
【図２】この発明の実施の形態１に係る望遠鏡を側面からみた部分構成を示す図である。
【図３】この発明の実施の形態１に係る望遠鏡を上方からみた部分構成を示す図である。
【符号の説明】
【００２８】
ＤＬ、ＤＲ  検出器、ＦＰ１  ナスミス焦点面、ＦＰ２Ｌ、ＦＰ２Ｒ  最終焦点面、Ｍ１  楕円面主鏡、Ｍ２  双曲面副鏡、Ｍ３  平面斜鏡、Ｍ４Ｌ  平面半月斜鏡、Ｍ４Ｒ  平面半月斜鏡、Ｍ５Ｌ  第３非球面鏡、Ｍ５Ｒ  第３非球面鏡、Ｍ６Ｌ  平面半月斜鏡、Ｍ６Ｒ  平面半月斜鏡。
【図１】
2006276234.tif 000003
【図２】
2006276234.tif 000004
【図３】
2006276234.tif 000005